(57)【要約】      （修正有）【課題】簡単な操作で趣向に富んだ偶然性が得られ、低年齢層の子供でも大いに楽しむことが可能になるスロット玩具を提供する。【解決手段】複数個の懸賞品Ｐを収納する透明な収納ケース体１０を設け、収納ケース体の下部に懸賞品を排出する受け皿体を設ける。また、受け皿体から落下する懸賞品を受け取るターンカップ体を設ける。さらに、ターンカップ体から落下した懸賞品を受け取るカップ本体４０を設ける。レバー２を引くと複数のカップ本体に同時に懸賞品が入るように構成する。【選択図】図１
0003229614.tif 000002
【実用新案登録請求の範囲】
【請求項１】
スロットマシーンの操作レバーを模したレバーを備える本体が形成され、このレバーの操
作で本体から懸賞品が出るように構成されたスロット玩具において、
複数個の懸賞品を収納する透明な収納ケース体と、
この収納ケース体の下部に設置され収納ケース体内から懸賞品が落下する複数の排出口を
備えた受け皿体と、
この受け皿体の各排出口から落下する懸賞品を夫々受け取り、レバー２に連動して上下に
揺動するように設けられたターンカップ体と、
該ターンカップ体の下向きの揺動で落下した各懸賞品を受け取るカップ本体と、を設け、
レバーを引くと複数のカップ本体に同時に懸賞品が入るように構成したことを特徴とする
スロット玩具。
【考案の詳細な説明】
【技術分野】
【０００１】
本考案は、景品として菓子などを提供することができるスロット玩具に係り、特に、低
年齢層の子供の玩具として好適なスロット玩具に関する。
【背景技術】
【０００２】
従来、景品に菓子などを提供するスロット玩具として、特許文献１に記載のスロットル
マシーン玩具が古くから提案されていた。この玩具は、一般のスロットマシーンのように
、コインを投下して複数の回転体を回し、回転体の柄や文字等が一致すると景品として菓
子や玩具などを提供するものである。
【０００３】
このようなスロット玩具は、その後現在に至るまで数多く製品化されているが、いずれ
も、この玩具のように一般のスロットマシーンを模した玩具が提供されている。
【先行技術文献】
【特許文献】
【０００４】
【特許文献１】実開昭６３-１８２７９４号公報
【考案の概要】
【考案が解決しようとする課題】
【０００５】
ところが、一般のスロットマシーンの構造を模したこれまでのスロット玩具は、特に、
低年齢層の子供の玩具としてはあまり適していないといえる。
【０００６】
すなわち、従来のスロット玩具の構成は、スロットマシーンと同じように、まず、コイ
ンを投入し、その後、前面に並んだ回転体の柄や文字等が一致したときに景品として菓子
などを提供している。このように、スロットマシーンの遊び方まで模倣しているので、低
年齢層の子供にとって遊び方が難しくならざるを得ない。したがって、たとえお菓子を景
品にしたとしても、低年齢層の子供たちが遊ぶ玩具としての課題が残されていた。
【０００７】
そこで本考案は、上述の課題を解消すべく案出されたもので、簡単な操作で趣向に富ん
だ偶然性が得られ、低年齢層の子供でも大いに楽しむことが可能になるスロット玩具の提
供を目的とするものである。
【課題を解決するための手段】
【０００８】
上述の目的を達成すべく本考案における第１の手段は、スロットマシーンの操作レバー
を模したレバー２を備える本体１が形成され、このレバー２の操作で本体１から懸賞品Ｐ
が出るように構成されたスロット玩具において、複数個の懸賞品Ｐを収納する透明な収納
ケース体１０と、この収納ケース体１０の下部に設置され収納ケース体１０内から懸賞品
Ｐが落下する複数の排出口２１を備えた受け皿体２０と、この受け皿体２０の各排出口２
１から落下する懸賞品Ｐを夫々受け取り、レバー２に連動して上下に揺動するように設け
られたターンカップ体３０と、該ターンカップ体３０の下向きの揺動で落下した各懸賞品
Ｐを受け取るカップ本体４０と、を設け、レバー２を引くと複数のカップ本体４０に同時
に懸賞品Ｐが入るように構成したことにある。
【０００９】
第２の手段において、前記懸賞品Ｐは、表面の色が個々に異なった球状の菓子にて形成
され、該懸賞品Ｐが前記カップ本体４０に入ると、前記懸賞品Ｐがアイス菓子に見えるよ
うに前記カップ本体４０が形成されたものである。
【００１０】
第３の手段の前記ターンカップ体３０は、前記レバー２に連結された揺動軸３１と、該
揺動軸３１に連設され前記排出口２１から落下する懸賞品Ｐを受け取る複数の回転受け具
３２と、該回転受け具３２が下向きに揺動したときに、前記排出口２１から上方に突出す
る撹拌突起３３と、を備え、該撹拌突起３３にて前記排出口２１周辺の前記懸賞品Ｐを撹
拌するように構成している。
【考案の効果】
【００１１】
本考案の請求項１に記載のごとく、複数個の懸賞品Ｐを収納する透明な収納ケース体１
０を設けているので、常に遊技者は収納ケース体１０内に収納されている懸賞品Ｐを確認
できる。したがって、遊技者の興味を喚起することができる。
【００１２】
更に、レバー２に連動して上下に揺動するように設けられたターンカップ体３０を設け
、レバー２を引くと複数のカップ本体４０に同時に懸賞品Ｐが入るように構成したことに
より、スロットマシーンの操作性を簡略化することができた。
【００１３】
しかも、レバー２を引くと複数のカップ本体４０に同時に複数の懸賞品Ｐが入る構成な
ので、低年齢層の子供でも大いに楽しむことができる。
【００１４】
請求項２のように、懸賞品Ｐは表面の色が個々に異なった球状の菓子にて形成され、該
懸賞品Ｐがカップ本体４０に入ると、懸賞品Ｐがアイス菓子に見えるようにカップ本体４
０が形成されているので、遊技者はあたかも球状のアイクリームを容器にポンと入れたよ
うな疑似体験ができる。
【００１５】
また、懸賞品Ｐは表面の色が個々に異なった球状の菓子で形成されているから、レバー
２を引くと異なった色の複数の懸賞品Ｐが複数のカップ本体４０に入ることになる。そこ
で、この懸賞品Ｐの色が揃うと「ねがいごとがかなう」と決めたり、あるいは、すべて違
う色になったときに「ちょーラッキー」になるなどと決めたりしておくと、占いの要素を
取り入れた趣向に富んだ玩具を提供することができる。
【００１６】
請求項３のごとく、ターンカップ体３０は、レバー２に連結された揺動軸３１と、該揺
動軸３１に連設され受け皿体２０の排出口２１から落下する懸賞品Ｐを受け取る複数の回
転受け具３２と、該回転受け具３２が反転したときに、排出口２１から上方に突出する撹
拌突起３３と、を備え、該撹拌突起３３にて排出口２１周辺の懸賞品Ｐを撹拌するように
構成しているので、排出口２１に懸賞品Ｐが詰まらないようにすることができる。この結
果、複数の排出口２１から同時に懸賞品Ｐが落下する構成において、レバー２を引くと複
数のカップ本体４０に確実に懸賞品Ｐが入るようにすることができる。
【００１７】
このように本考案によると、簡単な操作で趣向に富んだ偶然性が得られ、低年齢層の子
供でも大いに楽しむことが可能になるなどといった当初の目的を達成した。
【図面の簡単な説明】
【００１８】
【図１】本考案玩具の使用状態を示す斜視図である。
【図２】本考案玩具を正面から見た縦断面図である。
【図３】本考案玩具を側面側から見た縦断面図である。
【図４】本考案玩具の分解斜視図である。
【考案を実施するための形態】
【００１９】
本考案は、スロットマシーンの操作レバーの形状を模したレバー２を備えた本体１から
、レバー２の操作で懸賞品Ｐを出すように構成されたスロット玩具である（図１参照）。
図示の本体１は、前後に分割できる一対のボディ部３と、このボディ部３の後側上部に開
閉自在に設けられた蓋部４を備えている（図４参照）。
【００２０】
本考案玩具は、この本体１に、収納ケース体１０、受け皿体２０、ターンカップ体３０
、カップ本体４０を備えたものである（図４参照）。
【００２１】
収納ケース体１０は、複数個の懸賞品Ｐを収納する透明な収納体である。そして、蓋部
４から収納ケース体１０内に懸賞品Ｐを収納する。収納ケース体１０に懸賞品Ｐを収納す
ると、遊技者は収納ケース体１０内の懸賞品Ｐを確認することができる（図１参照）。
【００２２】
受け皿体２０は、この収納ケース体１０の下部に設置され、懸賞品Ｐを排出する複数の
排出口２１を備えた部材である（図４参照）。図示例の受け皿体２０は、各排出口２１に
、すり鉢状のテーパー部２２を形成し、懸賞品Ｐがこのテーパー部２２の周辺に来ると、
テーパー部２２中央の排出口２１から落下するように構成している（図２参照）。
【００２３】
この排出口２１は、懸賞品Ｐが落下しやすいように、排出口２１のサイズを懸賞品Ｐよ
り一回り大きいサイズに形成している。ところが、複数の懸賞品Ｐが排出口２１の周辺に
集まると、懸賞品Ｐ同士が突き当たり、排出口２１から落下できない状態になることがわ
かった。そのため、後述するターンカップ体３０に、排出口２１周辺の懸賞品Ｐを撹拌す
る撹拌突起３３を設けている（図３参照）。
【００２４】
ターンカップ体３０は、受け皿体２０の各排出口２１から落下する懸賞品Ｐを夫々受け
取り、受け取った懸賞品Ｐを下へ向けて落下させるように回転自在に設けたものである（
図４参照）。図示のターンカップ体３０は、揺動軸３１、回転受け具３２、撹拌突起３３
を備えている。
【００２５】
揺動軸３１は、レバー２に連結された軸状部材で、この揺動軸３１に複数の回転受け具
３２を連設している（図４参照）。そして、受け皿体２０の排出口２１から落下した各懸
賞品Ｐを、これらの回転受け具３２が受け取るように設けている（図２参照）。図示の回
転受け具３２は、上部が開口し側面が円弧状を成している（図３参照）。そして、この回
転受け具３２の開口部を下向きに揺動すると、回転受け具３２の側面が排出口２１を塞い
で排出口２１から次の懸賞品Ｐが落下しないように設けている。
【００２６】
撹拌突起３３は、回転受け具３２の開口部が下向きになったときに、排出口２１より上
方に突出する部材である（図２参照）。図示の撹拌突起３３は、回転受け具３２の後側に
突設した板状を成している。更に、この板状の撹拌突起３３が排出口２１より上方に突出
するように、排出口２１の周囲にスリット孔２３を形成している（図３参照）。そしてこ
の撹拌突起３３がスリット孔２３を通過して排出口２１より上方に突出すると、たとえ排
出口２１周辺で懸賞品Ｐ同士が突き当たっていても、これらの懸賞品Ｐを撹拌することが
できる（図２参照）。そして、撹拌突起３３を基の位置に戻すと排出口２１から懸賞品Ｐ
が確実に排出される。
【００２７】
カップ本体４０は、ターンカップ体３０の回転受け具３２から落下した各懸賞品Ｐを個
々に受け取る複数の収納部材である（図１参照）。各カップ本体４０は、ターンカップ体
３０の各回転受け具３２の下に設置されており、レバー２を引くと、ターンカップ体３０
が回転して各回転受け具３２内の各懸賞品Ｐが各カップ本体４０に同時に入るように構成
している（図４参照）。
【００２８】
本考案で使用する懸賞品Ｐは、表面の色が個々に異なった球状のラムネ等を使用してい
る。そして、この懸賞品Ｐがカップ本体４０に入ると、この懸賞品Ｐがあたかも、アイス
菓子のよう見えるように、カップ本体４０のデザインを設定している（図１参照）。図示
例では、カップ４１と支持材４２でカップ本体４０を形成している（図２参照）。
【００２９】
すなわち、カップ４１は、アイスを載せる専用の皿の他、アイスを載せるコーンや、ア
イス用のカップを模したデザインを選択して形成した容器部分である。一方、支持材４２
は、このカップ４１内の高さを調整すると共に、支持材４２内に入った懸賞品Ｐが飛び出
さないように支持する部材である（図３参照）。図示の支持材４２は、十字に組んだ板状
の上端部を凹状に形成することで、懸賞品Ｐの跳ね返りが少なくなるように設けている。
【００３０】
尚、本考案において、また、懸賞品Ｐの材質や形状、色等は、この例に限られるもので
はない。懸賞品Ｐとカップ本体４０との組み合わせを変更することにより様々な玩具を提
供することが可能になる。更に、本考案の構成においても図示の構成に限定されるもので
はなく、本体１やレバー２の形状はもとより、収納ケース体１０、受け皿体２０、ターン
カップ体３０、カップ本体４０等のサイズや構成等は、本考案の要旨を変更しない範囲で
自由に設計変更することができる。
【符号の説明】
【００３１】
Ｐ  懸賞品
１  本体
２  レバー
３  ボディ部
４  蓋部
１０  収納ケース体
２０  受け皿体
２１  排出口
２２  テーパー部
２３  スリット孔
３０  ターンカップ体
３１  揺動軸
３２  回転受け具
３３  撹拌突起
４０  カップ本体
４１  カップ
４２  支持材
【図１】
0003229614.tif 000003
【図２】
0003229614.tif 000004
【図３】
0003229614.tif 000005
【図４】
0003229614.tif 000006